(57)【要約】      （修正有）【課題】公衆電話回線等の外線に通話接続される親機を含み、相互に内線通話接続して音声信号の送受信が可能な電話機の機能拡張を大幅に行うことなく、且つ、端末装置を起動することなく、上記外線及び内線とは通信規格の異なる外線を利用して通話を可能とする通信装置、通信方法及び通信処理プログラムを提供する。【解決手段】インターネット電話対応子機５の制御部は、無線送受信回路を制御して、上記内線と同一の通信規格で親機１及び子機３−ｋと内線通話接続して通話音声信号を送受信する一方、ネットワークインタフェースを介して、一般公衆回線Ｘ及び上記内線とは、プロトコル、接続方式、音声信号の符号化等の通信規格の異なるインターネット電話サービスシステムの通話回線に、インターネットを介して接続して通話音声信号を送受信するようになっている。【選択図】図１
2008005185.tif 000002
【特許請求の範囲】
【請求項１】
相互に内線通話接続して音声信号の送受信が可能な複数の電話機であって第１の外線に通話接続される親機を含む電話機と、当該各電話機とは別個の通信装置と、により構成される電話システムにおける当該通信装置であって、
各前記電話機に夫々前記内線と同一の通信規格により内線通話接続して音声信号を送受信する内線通信手段と、
当該通信装置とは別個の端末装置であって、他の装置から受信した通話接続の要求を示す接続要求情報に基づいて前記第１の外線及び内線とは通信規格の異なる第２の外線に通話接続する端末装置を介さずに、当該第２の外線に通話接続して音声信号を送受信する外線通信手段と、
前記内線通話接続された電話機から受信された音声信号を前記外線通信手段により前記第２の外線に送信させ、且つ前記第２の外線から受信された音声信号を前記内線通信手段により前記内線通話接続された電話機に送信させる通信制御手段と、
を備えることを特徴とする通信装置。
【請求項２】
請求項１に記載の通信装置において、
前記第２の外線から受信された音声信号に対応する音声を出力する出力手段と、
ユーザの発話音声を入力するための入力手段と、を更に備え、
前記通信制御手段は、前記入力された音声に対応する音声信号を前記外線通信手段により前記第２の外線に送信させることを特徴とする通信装置。
【請求項３】
請求項２に記載の通信装置において、
前記出力手段は、前記内線通話接続された電話機から受信された音声信号に対応する音声を出力し、
前記通信制御手段は、前記入力された音声に対応する音声信号を前記内線通信手段により前記内線通話接続された電話機に送信させることを特徴とする通信装置。
【請求項４】
請求項１乃至３のいずれか１項に記載の通信装置において、
前記内線通信手段は、前記第１の外線に接続された親機に内線通話接続し、
前記親機は、前記第１の外線から受信された音声信号を前記内線通信手段に送信し、且つ前記内線通信手段から受信された音声信号を前記第１の外線に送信することを特徴とする通信装置。
【請求項５】
請求項４に記載の通信装置において、
前記親機は、前記第１の外線から受信された音声信号に対応する音声を出力しつつ、前記内線通信手段から受信された音声信号に対応する音声を出力し、ユーザにより入力された発話音声に対応する音声信号と、前記内線通信手段から受信された音声信号と、を含む音声信号を前記第１の外線に送信しつつ、前記入力された発話音声に対応する音声信号と、前記第１の外線から受信された音声信号と、を含む音声信号を前記内線通信手段に送信することを特徴とする通信装置。
【請求項６】
請求項１乃至５のいずれか１項に記載の通信装置において、
前記内線通信手段は、前記親機を除く前記電話機である子機に内線通話接続し、
前記親機は、前記第１の外線から受信された音声信号を前記内線通話接続された子機に送信し、且つ当該子機から受信された音声信号を前記第１の外線に送信し、
前記子機は、前記親機から受信された音声信号に対応する音声を出力しつつ、前記内線通信手段から受信された音声信号に対応する音声を出力し、ユーザにより入力された発話音声に対応する音声信号と、前記内線通信手段から受信された音声信号と、を含む音声信号を前記親機に送信しつつ、前記入力された発話音声に対応する音声信号と、前記親機から受信された音声信号と、を含む音声信号を前記内線通信手段に送信することを特徴とする通信装置。
【請求項７】
請求項１乃至６のいずれか１項に記載の通信装置において、
前記内線は、無線を用いて接続される電話回線であり、
前記第１の外線は、公衆電話回線であり、
前記第２の外線は、インターネットプロトコルを用いて接続される電話回線であることを特徴とする通信装置。
【請求項８】
相互に内線通話接続して音声信号の送受信が可能な複数の電話機であって第１の外線に通話接続される親機を含む電話機と、当該各電話機とは別個の通信装置と、により構成される電話システムにおける当該通信装置であって、各前記電話機に夫々前記内線と同一の通信規格により内線通話接続して音声信号を送受信する内線通信手段と、当該通信装置とは別個の端末装置であって、他の装置から受信した通話接続の要求を示す接続要求情報に基づいて前記第１の外線及び内線とは通信規格の異なる第２の外線に通話接続する端末装置を介さずに、当該第２の外線に通話接続して音声信号を送受信する外線通信手段と、を備える通信装置による通信方法において、
前記内線通話接続された電話機から受信された音声信号を前記外線通信手段により前記第２の外線に送信させ、且つ前記第２の外線から受信された音声信号を前記内線通信手段により前記内線通話接続された電話機に送信させる工程を備えることを特徴とする通信方法。
【請求項９】
相互に内線通話接続して音声信号の送受信が可能な複数の電話機であって第１の外線に通話接続される親機を含む電話機と、当該各電話機とは別個の通信装置と、により構成される電話システムにおける当該通信装置に含まれるコンピュータを、
各前記電話機に夫々前記内線と同一の通信規格により内線通話接続して音声信号を送受信する内線通信手段、
当該通信装置とは別個の端末装置であって、他の装置から受信した通話接続の要求を示す接続要求情報に基づいて前記第１の外線及び内線とは通信規格の異なる第２の外線に通話接続する端末装置を介さずに、当該第２の外線に通話接続して音声信号を送受信する外線通信手段、
前記内線通話接続された電話機から受信された音声信号を前記外線通信手段により前記第２の外線に送信させ、且つ前記第２の外線から受信された音声信号を前記内線通信手段により前記内線通話接続された電話機に送信させる通信制御手段、
として機能させることを特徴とする通信処理プログラム。
【発明の詳細な説明】
【技術分野】
【０００１】
本願は、電話システムに含まれる親機が通話接続される第１の外線とは通信規格の異なる第２の外線に通話接続可能な通信装置、通信方法及び通信処理プログラムの技術分野に関する。
【背景技術】
【０００２】
従来から、インターネットやＩＰ（Internet Protocol）電話網等といったネットワークを介した通話を可能とするＩＰ電話サービス（インターネット電話サービスを含む）が知られている。
【０００３】
また、例えば、インターネット等に接続可能な端末装置（例えば、パーソナルコンピュータ等）と、ＰＳＴＮ（Public Switched Telephone Networks）回線等の一般公衆回線に接続可能な電話機とを、例えば、ＵＳＢ（Universal Serial Bus）ケーブル等で接続して、当該電話機から端末装置を制御することにより、一般公衆回線を介した通話に加えて、インターネット等を介して他の端末装置や一般加入電話等との通話（以下、インターネット電話等とも称する）を可能とする電話システムが提案されている（例えば、特許文献１）。
【０００４】
こうした電話システムの一例として、端末装置に所定のアプリケーションプログラムをインストールしておき、当該プログラムにおいて提供されるＡＰＩ（Application Program Interface）等のインタフェースを利用して、制御元の電話機から端末装置に各種コマンド（例えば、通話音声の出力デバイスや入力デバイスの設定、通話可能な相手先のリストの要求、通話接続の要求、切断要求、ダイヤル操作命令等）を送信し、当該コマンドに基づいて端末装置がアプリケーションプログラムを実行することにより所望の相手先（他の端末装置や一般加入電話等）との通話回線が接続され、当該端末装置において、通話回線を通じて通話相手の端末装置等から受信された音声信号を制御元の電話機に送信するとともに、当該電話機から送信された音声信号を、通話回線を通じて通話相手の端末装置等に送信するようになっているシステムが知られている。
【０００５】
このアプリケーションプログラム（あるいは、電話サービス）の代表的なものとしては、例えば、Ｓｋｙｐｅ（登録商標）が知られており、複雑な設定作業を行う必要なくインターネット電話が可能であること、端末装置間における通話が無料であること、通話音声の品質が良いこと等を理由として、急激に普及しつつある。
【特許文献１】特開２００５−１７５７２２号公報
【発明の開示】
【発明が解決しようとする課題】
【０００６】
しかしながら、上述したような従来のシステムでは、インターネット電話等を行うために、必ず端末装置が起動されていなければならない。従って、常に端末装置の電源を入れておかなければならなかったり、インターネット電話等を利用した通話を行う際に、端末装置の電源を投入するなどの操作が必要となるなど、利便性等の面において問題があった。
【０００７】
また、一般公衆回線に接続可能な家庭用コードレス親子電話等の電話システムにより、例えば、Ｓｋｙｐｅ（登録商標）等を利用してインターネット電話等を行うことができれば非常に便利であるが、端末装置を起動することなく、上記インターネット電話等を可能とするためには、電話機本体に通信制御を実行するための機能を搭載しなければならず、電話システム自体が高値となる。そうすると、当該電話システムは、インターネット電話等を必要としない消費者には受け入れられ難いという問題が生ずる。
【０００８】
本願は、以上の点に鑑みてなされたものであり、その課題の一例は、例えば公衆電話回線等の外線に通話接続される親機を含み、相互に内線通話接続して音声信号の送受信が可能な電話機の機能拡張を大幅に行うことなく、且つ、端末装置を起動することなく、例えばインターネット等を介して接続される、上記外線及び内線とは通信規格の異なる外線を利用して通話を可能とする通信装置、通信方法及び通信処理プログラムを提供することにある。
【課題を解決するための手段】
【０００９】
上記課題を解決するために、請求項１に記載の発明は、相互に内線通話接続して音声信号の送受信が可能な複数の電話機であって第１の外線に通話接続される親機を含む電話機と、当該各電話機とは別個の通信装置と、により構成される電話システムにおける当該通信装置であって、各前記電話機に夫々前記内線と同一の通信規格により内線通話接続して音声信号を送受信する内線通信手段と、当該通信装置とは別個の端末装置であって、他の装置から受信した通話接続の要求を示す接続要求情報に基づいて前記第１の外線及び内線とは通信規格の異なる第２の外線に通話接続する端末装置を介さずに、当該第２の外線に通話接続して音声信号を送受信する外線通信手段と、前記内線通話接続された電話機から受信された音声信号を前記外線通信手段により前記第２の外線に送信させ、且つ前記第２の外線から受信された音声信号を前記内線通信手段により前記内線通話接続された電話機に送信させる通信制御手段と、を備えることを特徴とする。
【００１０】
請求項８に記載の発明は、相互に内線通話接続して音声信号の送受信が可能な複数の電話機であって第１の外線に通話接続される親機を含む電話機と、当該各電話機とは別個の通信装置と、により構成される電話システムにおける当該通信装置であって、各前記電話機に夫々前記内線と同一の通信規格により内線通話接続して音声信号を送受信する内線通信手段と、当該通信装置とは別個の端末装置であって、他の装置から受信した通話接続の要求を示す接続要求情報に基づいて前記第１の外線及び内線とは通信規格の異なる第２の外線に通話接続する端末装置を介さずに、当該第２の外線に通話接続して音声信号を送受信する外線通信手段と、を備える通信装置による通信方法において、前記内線通話接続された電話機から受信された音声信号を前記外線通信手段により前記第２の外線に送信させ、且つ前記第２の外線から受信された音声信号を前記内線通信手段により前記内線通話接続された電話機に送信させる工程を備えることを特徴とする。
【００１１】
請求項９に記載の発明は、相互に内線通話接続して音声信号の送受信が可能な複数の電話機であって第１の外線に通話接続される親機を含む電話機と、当該各電話機とは別個の通信装置と、により構成される電話システムにおける当該通信装置に含まれるコンピュータを、各前記電話機に夫々前記内線と同一の通信規格により内線通話接続して音声信号を送受信する内線通信手段、当該通信装置とは別個の端末装置であって、他の装置から受信した通話接続の要求を示す接続要求情報に基づいて前記第１の外線及び内線とは通信規格の異なる第２の外線に通話接続する端末装置を介さずに、当該第２の外線に通話接続して音声信号を送受信する外線通信手段、前記内線通話接続された電話機から受信された音声信号を前記外線通信手段により前記第２の外線に送信させ、且つ前記第２の外線から受信された音声信号を前記内線通信手段により前記内線通話接続された電話機に送信させる通信制御手段、として機能させることを特徴とする。
【発明を実施するための最良の形態】
【００１２】
次に、本願を実施するための最良の形態について、図面に基づいて説明する。なお、以下に説明する実施形態は、インターネットを介した通話と、一般公衆回線（例えば、ＰＳＴＮ回線等の加入電話回線）を介した通話と、が共に可能な電話システムに対して本願を適用した場合の実施の形態である。
【００１３】
［１．インターネット電話サービスシステムの概要］
はじめに、実施形態においてインターネットを介した通話を可能とするインターネット電話サービスシステム（ここでいうシステムとは、インターネット電話サービス事業者等が当該電話サービスをユーザに提供するためのシステムのことである）の概要について説明する。
【００１４】
本実施形態に係るインターネット電話サービスシステムは、例えば、パーソナルコンピュータ、ＰＤＡ（Personal Digital Assistant）等といった各種アプリケーションソフトをインストール（アプリケーションソフトを実行可能なように、装置内部のハードディスクやフラッシュメモリ等の不揮発性の記憶媒体に記憶させること）等することによりデータ通信等をはじめとして様々な用途に用いることが可能な端末装置に、所定のインターネット電話用のアプリケーションプログラムをインストールし、当該アプリケーションプログラムを起動することにより、インターネットを介して他の端末装置等との通話を可能とするものである。このインターネット電話サービスシステムの全体的な方式としては、例えば、複数の端末装置を介して通話回線が接続されるピア・ツー・ピア方式や、所定のサーバ装置により通話先の端末装置との通話回線が接続されるクライアント−サーバ方式等があるが、いずれにせよ、その通信プロトコルにはインターネットプロトコルが用いられている。
【００１５】
このインターネット電話サービスシステムを利用するために、端末装置のユーザは、当該システムに自身を登録しなければならないようになっている。そのため、ユーザは、例えば、端末装置にインストールされたＷｅｂブラウザプログラム等を起動し、インターネットを介してインターネット電話サービス事業者等が管理する所定のサーバ装置に接続し、ユーザの名称（ユーザ名）、パスワード、メールアドレス等を入力することで、これらの情報が端末装置から上記サーバ装置に送信され、当該サーバ装置において登録、管理される。その後、ユーザは、インターネット電話用のアプリケーションプログラムを起動し、ユーザ名、パスワード等を入力してログイン操作を行うことで、インターネット電話サービスシステムによりユーザが認識され、当該システムの利用が可能な状態となる。そして、ユーザは、通話したい相手をユーザ名により指定すると、ユーザの端末装置と相手の端末装置との間で（及び、所定のサーバ装置や他の端末装置等）接続処理が実行され、通話回線が接続されると、夫々の端末装置に接続されたマイクロホン等から入力された発話音声に対応する音声信号の送信が行われ、受信された音声信号に対応する音声が夫々端末装置に接続されたスピーカから出力される。
【００１６】
また、このアプリケーションプログラムは、他のプログラムや端末装置に接続された電話機等の装置からＡＰＩを通じて制御可能となっており、例えば、制御元の電話機等から端末装置に所定のコマンド（コマンドの種類としては、例えば、通話音声の出力デバイスや入力デバイスの設定、通話可能な相手先のリストの要求、通話接続の要求（接続要求情報の一例）、切断要求、ダイヤル操作命令等がある）を送信し、当該コマンドに基づいて端末装置がインターネット電話用のアプリケーションプログラムを実行することにより、ユーザは制御元の電話機等を用いてインターネットを介した通話を行うことが可能となっている。
【００１７】
また、実施形態に係るインターネット電話サービスシステムにおいては、インターネットを介して、一般加入電話や携帯電話等との通話も可能である。具体的には、例えば、所定のゲートウェイサーバにおいて、インターネットと、一般公衆回線等との間の通信が中継されることにより、インターネット、ゲートウェイサーバ、及び一般公衆回線等を介して通話回線が接続されるのである。
【００１８】
更に、このインターネット電話サービスシステムにおいては、複数の相手先との同時通話（いわゆる３者通話）や、通話相手の端末装置との間におけるデータファイルの送受信等も可能となっている。
【００１９】
実施形態に係るインターネット電話サービスシステムは、基本的に端末装置に所定のアプリケーションプログラムをインストールして利用することを想定したシステムであるが、実施形態に係る電話システムは、端末装置がなくても当該インターネット電話サービスシステムを利用することができるものである。
【００２０】
なお、実施形態に係るインターネット電話サービスシステム（あるいは、インターネット電話用のアプリケーションプログラム）としては、例えば、Ｓｋｙｐｅ（登録商標）を適用することができるが、これに限られるものではない。
【００２１】
［２．電話システムの構成及び機能概要］
次に、実施形態に係る電話システムの構成について、図１を用いて説明する。
【００２２】
図１は実施形態に係る電話システムＳの概要構成を示すブロック図である。
【００２３】
図１に示すように、実施形態に係る電話システムＳは、一般公衆回線Ｘ（第１の外線の一例）に通話接続する親機１と、親機１と無線通信を行うことにより内線接続し、親機１を介して一般公衆回線Ｘに外線通話接続する複数の子機３−ｋ（ｋ＝１，２・・・ｎ）と、図示せぬインターネットに接続し、インターネット電話の通話回線（第２の外線の一例）に接続する通信装置の一例としてのインターネット電話対応子機５と、インターネット電話対応子機５やモデム７から送信されたデータパケットのヘッダ部分に記述された宛先ＩＰアドレス等に基づいて転送経路を決定し、インターネット電話対応子機５とモデム７との間のデータ通信を中継するルータ６と、一般公衆回線Ｘを通じてデータ送受信を行うために、ルータ６から送信されたデジタル信号をアナログ信号に変調して一般公衆回線Ｘに送信すると共に、一般公衆回線Ｘから送信されたアナログ信号をデジタル信号に復調してルータ６に送信するＡＤＳＬ（Asymmetric Digital Subscriber Line）モデム等のモデム７と、親機１から送信された通話音声信号とモデム７から送信されたデータ信号を多重化して一般公衆回線Ｘに送信するとともに、一般公衆回線Ｘから送信された信号を周波数帯で分割し、音声周波数帯の通話音声信号を親機１に、高周波数帯のデータ信号をモデム７に夫々送信するスプリッタ８と、を含んで構成されている。
【００２４】
ここで、親機１と複数の子機３−ｋとによりコードレス電話基本システムが構成され、当該コードレス電話基本システムのみによっても一般公衆回線Ｘに通話接続することが可能である。
【００２５】
また、インターネット電話対応子機５は、上記コードレス電話基本システムの機能を拡張するための装置であり、一般公衆回線Ｘ及び図示せぬＩＳＰ（Internet Service Provider）を通じてインターネットに接続し、当該インターネットに接続された端末装置等との通話回線を接続して、親機１や子機３−ｋによるインターネット電話サービスシステムをした通話を可能とするものである。
【００２６】
親機１、子機３及びインターネット電話対応子機５は、無線通信により相互に内線接続して通話を行うことができるようになっている。また、子機３及びインターネット電話対応子機５は、夫々親機１を介して一般公衆回線Ｘに接続して図示せぬ加入者電話や携帯電話機等との通話を行うことできるようになっている。更に、親機１及び子機３は、夫々インターネット電話対応子機５を介してインターネット電話サービスシステムを利用した通話を可能とするものである。
【００２７】
ここで、電話システムＳにおいては、一般公衆回線Ｘを利用した通話と、インターネット電話サービスシステムを利用した通話とは、同時に独立して行うことができるようになっている。例えば、親機１において一般公衆回線Ｘを利用した通話を行っているのと同時に、インターネット電話対応子機５においてインターネット電話サービスシステムを利用した通話を行うことが可能であるし、また、例えば、子機３−１において一般公衆回線Ｘを利用した通話を行っているのと同時に、子機３−２においてインターネット電話サービスシステムを利用した通話を行うことが可能である。
【００２８】
更に、親機１、子機３及びインターネット電話対応子機５は、夫々一般公衆回線Ｘを利用した通話及びインターネット電話サービスシステムを利用した通話を同時に行う３者通話を行うことができるようになっている。
【００２９】
また更に、一般公衆回線Ｘからの着信を、予め設定されたインターネット電話サービスシステムにおけるユーザ名が示す端末装置等に、インターネットを介して転送する一方、インターネットからの着信を、予め設定された電話番号が示す電話等に、一般公衆回線Ｘを介して転送する着信転送（いわゆる転送電話）を行うことが可能となっている。
【００３０】
更にまた、インターネット電話対応子機５に端末装置を接続し、インターネット電話サービスシステムを利用して通話を行っている最中等に、当該通話相手の端末装置等と、インターネット電話対応子機５に接続された端末装置との間で、データファイルを送受信することが可能となっている。
【００３１】
なお、ルータ６に端末装置を接続することにより、一般公衆回線Ｘを通じて当該端末装置がインターネットに接続し、電子メールの送受信、Ｗｅｂページの閲覧、データファイルのダウンロード等のデータ通信を行うことも可能であるが、本実施形態において端末装置は必須の構成ではない。
【００３２】
［３．親機の構成］
次に、親機１の構成について、図２を用いて説明する。
【００３３】
図２は実施形態に係る親機１の概要構成を示すブロック図である。
【００３４】
図２に示すように、親機１は、一般公衆回線Ｘから外線接続端子Ｌ１及びＬ２に入力された着信信号や通話音声信号を検波する検波回路１１と、親機１と一般公衆回線Ｘとの通話接続を制御する回線制御回路１２と、回線制御回路１２を介して一般公衆回線Ｘに対して通話音声信号を送受信する通話回路１３と、通話音声信号の音声処理を行うＤＳＰ１４と、子機３−ｋやインターネット電話対応子機５との間で、例えば、ＦＨＳＳ−ＷＤＣＴ（Frequency Hopping Spread Spectrum-Worldwide Digital Cordless Telephone）方式等による無線通信を行うための符号化処理や暗号化処理等を行う無線送受信回路１５と、子機３−ｋやインターネット電話対応子機５との間で無線により信号を送受信するためのアンテナ１６と、文字や記号等を表示する表示部１７（例えば、液晶ディスプレイ等）と、操作ボタン等を含むキー操作部１８と、一般公衆回線Ｘから外線接続端子Ｌ１及びＬ２に入力される着信信号を検出するリング回路１９と、通話音声信号を拡声するスピーカ２０と、発話音声を集音するマイクロホン２１と、各種データやプログラムを記憶する記憶部２２（例えば、フラッシュメモリ等）と、ＣＰＵ（Central Processing Unit）、ＲＡＭ（Random Access Memory）、ＲＯＭ（Read Only Memory）等を備える制御部２３と、により構成されている。
【００３５】
記憶部２２には、電話帳データ、着信転送状態情報、転送先情報等のデータが記憶されている。電話帳データには、例えば、一般公衆回線Ｘを介してダイヤル発信するための相手先の電話番号が、その相手先を示す名前情報に対応付けて登録されている一方、インターネットを介して発信するための相手先のユーザ名が、その相手先を示す名前情報に対応付けて登録されている。また、着信転送状態情報とは、上述した着信転送を行うか否か（一般公衆回線Ｘまたはインターネットからの着信を転送するか否か）を示す情報である。また、転送先情報とは、着信転送を行う場合における転送先の電話番号またはユーザ名である。これらの情報は、子機３−ｋ及びインターネット電話対応子機５との間の無線通信により送受信され、子機３−ｋ及びインターネット電話対応子機５においても同一内容の情報が記憶されるようになっている。
【００３６】
そして、制御部２３は、ＲＯＭまたは記憶部２２に記憶された各種プログラムを読み出し実行することにより、親機１全体を統括制御するようになっている。
【００３７】
［４．子機の構成及び機能］
次に、子機３−ｋの構成について、図３を用いて説明する。
【００３８】
図３は実施形態に係る子機３−ｋの概要構成を示すブロック図である。
【００３９】
図３に示すように、子機３−ｋは、親機１や他の子機３−ｋ及びインターネット電話対応子機５との間で無線により信号を送受信するためのアンテナ３１と、例えば、ＦＨＳＳーＷＤＣＴ方式等による無線通信を行うための符号化処理や暗号化処理等を行う無線送受信回路３２と、通話音声信号の音声処理を行うＤＳＰ３３と、文字や記号等を表示する表示部３４（例えば、液晶ディスプレイ等）と、操作ボタン等を含むキー操作部３５と、通話音声信号を拡声するスピーカ３６と、発話音声を集音するマイクロホン３７と、各種データやプログラム等を記憶する記憶部３８（例えば、フラッシュメモリ等）と、ＣＰＵ、ＲＡＭ、ＲＯＭ等を備える制御部３９と、により構成されている。
【００４０】
記憶部３８には、親機１と同様に電話帳データ等が記憶されている。
【００４１】
そして、制御部３９は、ＲＯＭまたは記憶部３８に記憶された各種プログラムを読み出し実行することにより、子機３−ｋ全体を統括制御するようになっている。
【００４２】
［５．インターネット電話対応子機の構成及び機能］
次に、インターネット電話対応子機５の構成について、図４を用いて説明する。
【００４３】
図４は実施形態に係るインターネット電話対応子機５の概要構成を示すブロック図である。
【００４４】
図４に示すように、インターネット電話対応子機５は、親機１や子機３−ｋとの間で無線により信号を送受信するためのアンテナ５１と、例えば、ＦＨＳＳ−ＷＤＣＴ方式等による無線通信を行うための符号化処理や暗号化処理等を行う無線送受信回路５２と、通話音声信号の音声処理を行うＤＳＰ５３と、文字や記号等を表示する表示部５４（例えば、液晶ディスプレイ等）と、操作ボタン等を含むキー操作部５５と、通話音声信号を拡声する出力手段の一例としてのスピーカ５６と、発話音声を集音する入力手段の一例としてのマイクロホン５７と、各種データやプログラム等を記憶する記憶部５８（例えば、フラッシュメモリ等）と、ルータ４と接続して当該ルータ４と制御部６１とのインタフェース処理を行うネットワークインタフェース５９（例えば、Ethernet（登録商標）アダプタ等）と、端末装置（図示せず）と接続して当該端末装置と制御部６１とのインタフェース処理を行うＵＳＢインタフェース６０と、ＣＰＵ、ＲＡＭ、ＲＯＭ等を備える制御部６１と、により構成されている。
【００４５】
ここで、無線送受信回路５２及び制御部６１は内線通信手段の一例を構成し、ネットワークインタフェース５９及び制御部６１は外線通信手段の一例を構成し、制御部６１は通信制御手段の一例を構成する。
【００４６】
記憶部５８には、親機１と同様に電話帳データ、着信転送状態情報、転送先情報等が記憶されている。
【００４７】
また、記憶部５８には、インターネット電話サービスシステムにログインするためのユーザ名、パスワードが記憶されている。
【００４８】
更に、記憶部５９には、インターネット電話用のアプリケーションプログラム、ＡＰＩを通じて当該アプリケーションプログラムを制御するための制御プログラム等が記憶されている。
【００４９】
そして、制御部６１は、ＲＯＭまたは記憶部５８に記憶された各種プログラムを読み出し実行することにより、インターネット電話対応子機５全体を統括制御するとともに、内線通信手段、外線通信手段及び通信制御手段として機能するようになっている。
【００５０】
インターネット電話対応子機５の電源が投入されると、制御部６１は、インターネット電話用のアプリケーションプログラムを起動し、記憶部５８に記憶されたユーザ名、パスワードを用い、ネットワークインタフェース５９を介してインターネット電話サービスシステムに対するログイン処理を実行するようになっている。
【００５１】
また、ＵＳＢケーブル等により端末装置とＵＳＢインタフェース６０とを接続しておくことで、インターネットを介した通話中に（親機１、子機３−ｋ、インターネット電話対応子機５いずれの通話でも良い）、インターネット電話対応子機５を介して当該端末装置と通話中の相手の端末装置等との間でデータファイルの送受信が可能となっている。
【００５２】
なお、記憶部５８に記憶されるプログラムは、インターネットを介して所定のサーバ装置からダウンロードされるようにしても良いし、ＵＳＢインタフェース６０を介して端末装置等から供給されるようにしても良い。
【００５３】
［６．電話システムの動作］
次に、電話システムＳの動作について、図５乃至図８を用いて説明する。
【００５４】
（６−１．内線通話）
はじめに、子機３−ｋと親機１との間で内線通話を行う場合の動作について説明する。
【００５５】
ユーザが、子機３−ｋのキー操作部３５を用いてダイヤル操作し、親機１を指定する内線番号を入力すると、子機３−ｋの表示部５４にその内線番号が表示されるとともに、制御部３９から無線送受信回路３２に、内線通話を示す呼び出し信号（呼び出し先の電話機を示す情報として入力された内線番号が設定される）及び呼び出し元の内線番号（子機３−ｋを示す内線番号）を示す呼び出し元通知信号が供給される。そして、これらの信号は、無線送受信回路３２において符号化処理等が施されて、アンテナ３１により送信される。
【００５６】
親機１のアンテナ１６において呼び出し信号及び呼び出し元通知信号が受信されると、無線送受信回路１５において復調処理等が施されて、制御部２３に供給される。
【００５７】
そして、制御部２３において、呼び出し信号に含まれる内線番号が親機１を指定していることが認識されると、呼び出し元通知信号が示す呼び出し元の内線番号が表示部３４に表示されるとともに、制御部２３からＤＳＰ１４に着信音の音声信号が供給されて、ＤＳＰ１４においてアナログ信号に変換、増幅等され、スピーカ２０において着信音が拡声される。
【００５８】
ここで、他のユーザが、親機１のキー操作部１８を用いてオフフック操作を実行すると、制御部２３から無線送受信回路に応答信号が供給され、無線送受信回路において符号化処理等が施されてアンテナ１６により送信される。
【００５９】
子機３−ｋのアンテナ３１において、応答信号が受信されると、無線送受信回路３２において復調処理等が施されて制御部３９に供給される。そして、子機３−ｋと親機１との間で内線接続処理（ネゴシエーション）が実行され、通話回線が接続される。
【００６０】
その後は、子機３−ｋのマイクロホン３７を介して入力されたユーザの発話音声は、ＤＳＰ３３においてデジタル信号の通話音声信号に変換等され、無線送受信回路３２において符号化処理が施されてアンテナ３１により送信される。
【００６１】
親機１のアンテナ１６において通話音声信号が受信されると、無線送受信回路１５において復調処理等が施されて、ＤＳＰ１４においてアナログ信号に変換、増幅等され、スピーカ２０においてユーザの発話音声等が拡声される。
【００６２】
一方、親機１のマイクロホン２０を介して入力された他のユーザの発話音声は、ＤＳＰ１４においてデジタル信号の通話音声信号に変換等され、無線送受信回路１５において符号化処理が施されてアンテナ１６により送信される。
【００６３】
子機３−ｋのアンテナ３１において、通話音声信号が受信されると、無線送受信回路３２において復調処理等が施されて、ＤＳＰ３３においてアナログ信号に変換、増幅等され、スピーカ３６において他のユーザの発話音声等が拡声される。
【００６４】
なお、子機３−ｋ間、親機１とインターネット電話対応子機５、子機３−ｋとインターネット電話対応子機５における内線通話の動作は、上述した動作と同様であるため、これらについての説明は省略する。
【００６５】
（６−２．一般公衆回線Ｘを利用した通話）
次に、一般公衆回線Ｘを介して発信して通話する場合と、着信して通話する場合について、子機３−ｋを利用して通話する例を用いて説明する。
【００６６】
先ず、一般公衆回線Ｘを介して発信して通話する場合について説明する。
【００６７】
ユーザが子機３−ｋのキー操作部３５を用いてダイヤル操作し、呼び出し先の電話番号を入力すると、表示部３４にその電話番号が表示されるとともに、子機３−ｋの制御部３９から、一般公衆回線発信を示す呼び出し信号（呼び出し先の電話機を示す情報として親機１に割り当てられた内線番号が設定される）及び呼び出し先の電話番号を示す発信先通知信号が無線送受信回路３２に供給され、無線送受信回路３２にてこれらの信号に対して符号化処理等が施されてアンテナ３１により送信される。
【００６８】
親機１のアンテナ１６において、呼び出し信号及び発信先通知信号が受信されると、無線送受信回路１５において復調処理等が施されて、制御部２３に供給される。そして、呼び出し信号及び発信先通知信号に基づいて制御部２３から制御信号が回線制御回路１２に供給されて、回線制御回路１２において発信先通知信号が示す電話番号で指定された呼び出し先との回線接続処理が実行される。
【００６９】
そして、呼び出し先との通話回線が接続されると、回線制御回路１２から制御部２３に接続完了信号が供給されて、制御部２３から無線送受信回路１５に呼び出し応答通知信号が供給される。そして、無線送受信回路１５、アンテナ１６、アンテナ３１及び無線送受信回路３２を介して呼び出し応答通知信号が子機３−ｋの制御部３９に供給されて、制御部３９からＤＳＰ３３に制御信号が供給されることにより、ＤＳＰ３３において、マイクロホン３７から入力された音声に対する音声処理が開始される。
【００７０】
その後は、マイクロホン３７を介して入力されたユーザの発話音声は、ＤＳＰ３３においてデジタル信号の通話音声信号に変換等され、無線送受信回路１５において符号化処理が施されてアンテナ３１により送信される。
【００７１】
親機１のアンテナ１６において、通話音声信号が受信されると、無線送受信回路１５において復調処理等が施されて、通話回路１３、回線制御回路１２及び検波回路１１（及び、スプリッタ８）を介して一般公衆回線Ｘに送信される。
【００７２】
一方、一般公衆回線ＸからＬ１及びＬ２に入力された通話音声信号は、検波回路１１、回線制御回路１２及び通話回路１３を介してＤＳＰ１４に供給される。そして、通話音声信号は、ＤＳＰ１４において所定の音声処理が施され、さらに無線送受信回路１５において符号化処理等が施されてアンテナ１６により送信される。
【００７３】
子機３−ｋのアンテナ３１において、通話音声信号が受信されると、無線送受信回路３２において復調処理等が施されて、ＤＳＰ３３においてアナログ信号に変換、増幅等され、スピーカ３６において呼び出し先の相手の発話音声等が拡声される。
【００７４】
次に、一般公衆回線Ｘから着信して通話する場合について説明する。
【００７５】
一般公衆回線ＸからＬ１及びＬ２に着信信号が入力されると、検波回路１１において検波されて、リング回路１９において着信信号が検出され、これによりスピーカ２０から着信音が拡声されるとともに、着信信号が制御部２３にも供給される。
【００７６】
そして、制御部２３から一斉呼び出し信号及び呼び出し元の電話番号を示す呼び出し元通知信号が無線送受信回路１５に供給されると、無線送受信回路１５、アンテナ１６、アンテナ３１及び無線送受信回路３２を介してこれらの信号が子機３−ｋの制御部３９に供給されて、表示部３４に呼び出し元の電話番号が表示されるとともに、制御部３９からＤＳＰ３３に着信音の音声信号が供給されて、ＤＳＰ３３においてアナログ信号に変換、増幅等され、スピーカ３６において着信音が拡声される（なお、他の子機３−ｋ及びインターネット電話対応子機５においても着信音が拡声される）。
【００７７】
ここで、ユーザが、子機３−ｋのキー操作部３５を用いてオフフック操作を実行すると、制御部３９から、無線送受信回路３２、アンテナ３１、アンテナ１６及び無線送受信回路１５を介して親機１の制御部２３に応答信号が供給される。そして、制御部２３から回線接続回路１２に制御信号が供給されることにより一般公衆回線Ｘとの通話回線が接続される。
【００７８】
その後は、上述と同様にして、一般公衆回線Ｘ、親機１及び応答した子機３−ｋとの間で通話音声信号の送受信が行われる。
【００７９】
なお、インターネット電話対応子機５の一般公衆回線Ｘを利用して通話する場合の動作は子機３−ｋと同様であり、また、親機１の場合は、無線通信による内線接続をせずに、一般公衆回線Ｘから受信された通話音声信号に対応する音声をスピーカ２０により拡声し、マイクロホン２１により集音された音声に対応する通話音声信号を一般公衆回線Ｘに送信することを除き、基本的には上述した動作と同様であるため、これらの例については、説明を省略する。
【００８０】
（６−３．インターネット電話サービスシステムを利用した通話）
次に、インターネット電話サービスシステムを利用して、インターネットを介して発信して通話する場合と、着信して通話する場合について、子機３−ｋを利用して通話する例を用いて説明する。
【００８１】
図５は、実施形態に係る電話システムＳのインターネットに発信して通話する場合における処理例を示すフローチャートである。また、図６は、実施形態に係る電話システムＳのインターネットから着信して通話する場合における処理例を示すフローチャートである。
【００８２】
先ず、インターネットを介して発信して通話する場合について説明する。
【００８３】
図５に示すように、ユーザが子機３−ｋのキー操作部３５を用いて、記憶部３８に記憶された電話帳データに登録されたインターネット電話サービスシステムのユーザを指定すると（ステップＳ１）、子機３−ｋの表示部５４にその指定されたユーザのユーザ名が表示されるとともに（ステップＳ２）、制御部３９から無線送受信回路３２に、インターネット発信を示す呼び出し信号（呼び出し先の電話機を示す情報としてインターネット電話対応子機５に割り当てられた内線番号が設定される）及び呼び出し先のユーザ名を示す発信先通知信号が供給される。そして、これらの信号は、無線送受信回路３２において符号化処理等が施されて、アンテナ３１により送信される（ステップＳ３、Ｓ４）。
【００８４】
インターネット電話対応子機５のアンテナ５１において呼び出し信号及び発信先通知信号が受信されると、無線送受信回路５２において復調処理等が施されて、制御部６１に供給される（ステップＳ１１、Ｓ１２）。
【００８５】
そして、制御部６１において、発信先通知信号が示すユーザ名に対する発信信号が、ネットワークインタフェース５９（及び、ルータ６、モデム７、スプリッタ８及び一般公衆回線Ｘ）を介してインターネットに送信されると（ステップＳ１３）、インターネット電話対応子機５と所定のサーバ装置または端末装置等との間で回線接続処理が実行される。
【００８６】
そして、呼び出し先の端末装置等との通話回線が接続されると、ネットワークインタフェース５９から制御部６１に呼び出し応答通知信号が供給される。これにより、制御部６１により呼び出し先が応答したと判定されると（ステップＳ１４：ＹＥＳ）、制御部６１から無線送受信回路５２、アンテナ５１、子機３−ｋのアンテナ３１及び無線送受信回路３２を介して呼び出し応答通知信号が子機３−ｋの制御部３９に供給されて、制御部３９により呼び出し先が応答したと判定されると（ステップＳ５：ＹＥＳ）、制御部３９からＤＳＰ３３に制御信号が供給されることにより、ＤＳＰ３３において、マイクロホン３７から入力された音声に対する音声処理が開始されて、子機３−ｋ及びインターネット電話対応子機５による通話処理が実行される（ステップＳ６、Ｓ１６）。
【００８７】
具体的には、子機３−ｋのマイクロホン３７を介して入力されたユーザの発話音声は、ＤＳＰ３３においてデジタル信号の通話音声信号に変換等され、無線送受信回路３２において符号化処理が施されてアンテナ３１により送信される。
【００８８】
インターネット電話対応子機５のアンテナ５１において、通話音声信号が受信されると、無線送受信回路５２において復調処理等が施されて、制御部６１において音声処理等が施されて、ネットワークインタフェース５９を介してインターネットに送信される。
【００８９】
一方、インターネットからインターネット電話対応子機５のネットワークインタフェース５９を介して制御部６１に供給された音声信号は、制御部６１において音声処理等が施され、さらに無線送受信回路５２において符号化処理等が施されてアンテナ５１により送信される。
【００９０】
子機３−ｋのアンテナ３１において、通話音声信号が受信されると、無線送受信回路３２において復調処理等が施されて、ＤＳＰ３３においてアナログ信号に変換、増幅等され、スピーカ３６において呼び出し先の相手の発話音声等が拡声される。
【００９１】
このようにして、通話回線の切断が検出されない間は（ステップＳ７：ＮＯ、ステップＳ１７：ＮＯ）、上述した通話処理が実行され、子機３−ｋにおいてオンフック操作がなされるか、呼び出し先の端末装置等においてオンフック操作等がなされることにより、通話回線の切断が検出されると（ステップＳ７：ＹＥＳ、ステップＳ１７：ＹＥＳ）、処理を終了する。
【００９２】
次に、インターネットから着信して通話する場合について説明する。
【００９３】
図６に示すように、インターネットからインターネット電話対応子機５のネットワークインタフェース５９を介して制御部６１に着信信号が入力されると（ステップＳ３１）、表示部５４に呼び出し元のユーザ名が表示されるとともに、制御部６１からＤＳＰ５３に着信音の音声信号が供給され、ＤＳＰ５３においてアナログ信号に変換、増幅等され、スピーカ５６において着信音が拡声される。
【００９４】
そして、制御部６１から一斉呼び出し信号及び呼び出し元のユーザ名を示す呼び出し元通知信号が無線送受信回路５２に供給されると（ステップＳ３２、Ｓ３３）、無線送受信回路５２、アンテナ５１、アンテナ３１及び無線送受信回路３２を介してこれらの信号が子機３−ｋの制御部３９に供給されて（ステップＳ２１、ステップＳ２２）、表示部３４に呼び出し元のユーザ名が表示されるとともに（ステップＳ２３）、制御部３９からＤＳＰ３３に着信音の音声信号が供給されて、ＤＳＰ３３においてアナログ信号に変換、増幅等され、スピーカ３６において着信音が拡声される（なお、親機１及び他の子機３−ｋにおいても着信音が拡声される）。
【００９５】
ここで、ユーザが、子機３−ｋのキー操作部３５を用いてオフフック操作を実行すると、制御部３９において応答操作がなされたと判定されて（ステップＳ２４：ＹＥＳ）、制御部３９から、無線送受信回路３２、アンテナ３１、アンテナ５１及び無線送受信回路５２を介してインターネット電話対応子機５の制御部６１に応答信号が供給される（ステップＳ２５）。これにより、制御部６１において子機３−ｋが応答したと判定されると（Ｓ３４：ＹＥＳ）、制御部６１において、通話応答信号がネットワークインタフェース５９を介してインターネットに送信されると、呼び出し元の端末装置等との通話回線が接続される。
【００９６】
その後は、上述と同様にして、通話処理等が実行される（ステップＳ２６、Ｓ２７、Ｓ３５、Ｓ３６）。
【００９７】
なお、親機１のインターネット電話サービスシステムを利用して通話する場合の動作は子機３−ｋと同様であり、また、インターネット電話対応子機５の場合は、無線通信による内線接続をせずに、インターネットから受信された通話音声信号に対応する音声をスピーカ５６により拡声し、マイクロホン５７により集音された音声に対応する通話音声信号をインターネットに送信することを除き、基本的には上述した動作と同様であるため、これらの例については、説明を省略する。
【００９８】
（６−４．３者通話）
次に、一般公衆回線Ｘを介した通話及びインターネットを介した通話を同時に行う３者通話を行う場合について、子機３−ｋを利用して通話する例を用いて説明する。
【００９９】
先ず、一般公衆回線を介した通話中に、インターネットを介した通話を同時に実行して、３者通話を行う場合について説明する。
【０１００】
図７は、実施形態に係る電話システムＳの３者通話を行う場合における処理例を示すフローチャートである。
【０１０１】
図７に示すように、上記６−２で説明したような動作により、子機３−ｋにおいて、親機を介して一般公衆回線Ｘに対する通話処理が実行されている（ステップＳ４１）。
【０１０２】
ここで、ユーザが、子機３−ｋのキー操作部３５を用いて通話保留操作、インターネット電話サービスシステムのユーザを指定する操作を実行すると（ステップＳ４２）、子機３−ｋの表示部３４にその指定されたユーザのユーザ名が表示されるとともに（ステップＳ４３）、制御部３９から無線送受信回路３２、アンテナ５１及び無線送受信回路５２を介してインターネット発信を示す呼び出し信号及び呼び出し先のユーザ名を示す発信先通知信号がインターネット電話対応子機５の制御部６１に供給される（ステップＳ４４、Ｓ４５、Ｓ５１、Ｓ５２）。
【０１０３】
そして、制御部２３において、発信先通知信号が示すユーザ名に対する発信信号が、ネットワークインタフェース５９を介してインターネットに送信されると（ステップＳ５３）、インターネット電話対応子機５と所定のサーバ装置または端末装置等との間で回線接続処理が実行される。
【０１０４】
そして、呼び出し先の端末装置等との通話回線が接続されると、ネットワークインタフェース５９から制御部６１に呼び出し応答通知信号が供給される。これにより、制御部６１において呼び出し先が応答したと判定されると（ステップＳ５４：ＹＥＳ）、制御部６１から無線送受信回路５２、アンテナ５１、アンテナ３１及び無線送受信回路３２を介して呼び出し応答通知信号が子機３−ｋの制御部３９に供給されて（ステップＳ５５）、制御部３９において呼び出し先が応答されたと判定されると（ステップＳ４６：ＹＥＳ）、上記６−３で説明したような通話処理が実行される（ステップＳ４７、Ｓ５６）。
【０１０５】
そして、ユーザが、子機３−ｋのキー操作部３５を用いて保留解除操作を実行すると（ステップＳ４８）、親機１、子機３−ｋ及びインターネット電話対応子機５による３者通話処理が実行される（ステップＳ４９、Ｓ５７）。
【０１０６】
具体的には、子機３−ｋのマイクロホン３７を介して入力されたユーザの発話音声は、ＤＳＰ３３においてデジタル信号の通話音声信号に変換等され、無線送受信回路３２において符号化処理が施されてアンテナ３１により送信される。
【０１０７】
インターネット電話対応子機５のアンテナ５１において通話音声信号が受信されると、無線送受信回路５２において復調処理等が施されて、制御部６１において音声処理等が施されて、ネットワークインタフェース５９を介してインターネットに送信される。
【０１０８】
子機３−ｋにより送信された通話音声信号は親機１のアンテナ１６にも受信され、無線送受信回路１５において復調処理等が施されて、通話回路１３、回線制御回路１２及び検波回路１１を介して一般公衆回線Ｘに送信される。
【０１０９】
また、一般公衆回線Ｘから親機１のＬ１及びＬ２に入力された通話音声信号は、検波回路１１、回線制御回路１２及び通話回路１３を介してＤＳＰ１４に供給される。そして、通話音声信号は、ＤＳＰ１４において所定の音声処理が施され、さらに無線送受信回路１５において符号化処理等が施されてアンテナ１６により送信される。
【０１１０】
一方、インターネットからインターネット電話対応子機５のネットワークインタフェース５９を介して制御部６１に供給された音声信号は、制御部６１において音声処理等が施され、さらに無線送受信回路５２において符号化処理等が施されてアンテナ５１により送信される。
【０１１１】
そして、子機３−ｋのアンテナ３１において、親機１から送信された通話音声信号及びインターネット電話対応子機５から送信された通話音声信号が受信されると、夫々の信号に対して無線送受信回路３２において復調処理等が施されて、ＤＳＰ３３においてアナログ信号に変換、増幅等され、スピーカ３６において、一般公衆回線Ｘを介して通話している相手の発話音声及びインターネットを介して通話している相手の発話音声等が拡声される。
【０１１２】
このようにして、通話回線の切断が検出されない間は（ステップＳ５０：ＮＯ、ステップＳ５８：ＮＯ）、上述した３者通話処理が実行され、通話回線の切断が検出されると（ステップＳ５０：ＹＥＳ、ステップＳ５８：ＹＥＳ）、処理を終了する。
【０１１３】
次に、インターネットを介した通話中に、一般公衆回線を介した通話を同時に実行して、３者通話を行う場合について説明する。
【０１１４】
上記６−３で説明したような動作により、子機３−ｋにおいて、インターネット電話対応子機５を介してインターネットに対する通話処理が実行されている。
【０１１５】
ここで、ユーザが、子機３−ｋのキー操作部３５を用いて通話保留操作、電話番号を入力する操作を実行すると、子機３−ｋの表示部３４にその入力された電話番号が表示されるとともに、制御部３９から無線送受信回路３２、アンテナ３１、アンテナ１６及び無線送受信回路１５を介して一般公衆回線発信を示す呼び出し信号及び呼び出し先の電話番号を示す発信先通知信号が親機１の制御部２３に供給される。
【０１１６】
次いで、呼び出し信号及び発信先通知信号に基づいて制御部２３から制御信号が回線制御回路１２に供給されて、回線制御回路１２において発信先通知信号が示す電話番号で指定された呼び出し先との回線接続処理が実行される。
【０１１７】
そして、呼び出し先との通話回線が接続されると、回線制御回路１２から制御部２３に接続完了信号が供給されて、制御部２３から無線送受信回路１５に呼び出し応答通知信号が供給される。そして、無線送受信回路１５、アンテナ１６、アンテナ３１及び無線送受信回路３２を介して呼び出し応答通知信号が子機３−ｋの制御部３９に供給されて、制御部３９からＤＳＰ３３に制御信号が供給されることにより、上記６−２に説明したような通話処理が実行される。
【０１１８】
そして、ユーザが、子機３−ｋのキー操作部３５を用いて保留解除操作を実行すると、その後は、上記ステップＳ４９、Ｓ５０、Ｓ５７、Ｓ５８の動作と同様にして、３者通話処理等が実行される。
【０１１９】
なお、親機１及びインターネット電話対応子機５により３者通話を行う場合についても基本的には上述した動作と同様であるため、これらの例については、説明を省略する。
【０１２０】
（６−５．転送電話）
次に、一般公衆回線Ｘからの着信を、インターネットに転送する場合について説明する。
【０１２１】
図８は、実施形態に係る電話システムＳの着信転送を行う場合における処理例を示すフローチャートである。
【０１２２】
なお、親機１の記憶部３８に記憶されている着信転送状態情報は、着信転送ありに設定されており、転送先情報にはインターネット電話サービスシステムにおけるユーザ名が設定されているものとする。
【０１２３】
一般公衆回線ＸからＬ１及びＬ２に着信信号が入力されると（ステップＳ６１）、検波回路１１において検波されて、リング回路１９において着信信号が検出され、着信信号が制御部２３に供給される。
【０１２４】
そして、制御部２３において着信転送ありであると判定され、転送先のユーザ名が取得されることにより、制御部２３から無線送受信回路１５、アンテナ１６、アンテナ５１及び無線送受信回路５２を介してインターネット発信を示す呼び出し信号及び呼び出し先のユーザ名を示す発信先通知信号がインターネット電話対応子機５の制御部６１に供給される（ステップＳ６２、Ｓ６３、Ｓ７１、Ｓ７２）。
【０１２５】
次いで、制御部６１において、発信先通知信号が示すユーザ名に対する発信信号が、ネットワークインタフェース５９を介してインターネットに送信されると（ステップＳ７３）、インターネット電話対応子機５と所定のサーバ装置または端末装置等との間で回線接続処理が実行される。
【０１２６】
そして、呼び出し先の端末装置等との通話回線が接続されると、ネットワークインタフェース５９から制御部６１に呼び出し応答通知信号が供給される。これにより、制御部６１において呼び出し先が応答したと判定されると（ステップＳ７４：ＹＥＳ）、制御部６１から無線送受信回路５２、アンテナ５１、アンテナ１６及び無線送受信回路１５を介して呼び出し応答通知信号が親機１の制御部２３に供給されことにより、制御部２３において呼び出し先が応答したと判定される（ステップＳ６４：ＹＥＳ）。
【０１２７】
その後、一般公衆回線ＸからＬ１及びＬ２に入力された通話音声信号は、親機１及びインターネット電話対応子機５を介してインターネットに転送され、インターネットからネットワークインタフェース５９に供給された通話音声信号は、インターネット電話対応子機５及び親機１を介して一般公衆回線Ｘに転送される（ステップＳ６５、Ｓ７６）。具体的には、親機１においては、上記６−２の通話処理と同様の処理が実行され（内線接続の相手はインターネット電話対応子機５）、インターネット電話対応子機５においては、上記６−３の通話処理と同様の処理が実行される（内線接続の相手は親機１）。
【０１２８】
このようにして、通話回線の切断が検出されない間は（ステップＳ６６：ＮＯ、ステップＳ７７：ＮＯ）、上述した転送処理が実行され、通話回線の切断が検出されると（ステップＳ６６：ＹＥＳ、ステップＳ７７：ＹＥＳ）、処理を終了する。
【０１２９】
次に、インターネットからの着信を、一般公衆回線Ｘに転送する場合について説明する。
【０１３０】
なお、インターネット電話対応子機５の記憶部５８に記憶されている着信転送状態情報は、着信転送ありに設定されており、転送先情報には電話番号が設定されているものとする。
【０１３１】
インターネットからネットワークインタフェース５９を介して制御部６１に着信信号が入力されると、制御部６１において着信転送ありであると判定され、転送先の電話番号が取得されることにより、制御部６１から無線送受信回路５２、アンテナ５１、アンテナ１６及び無線送受信回路１５を介してインターネット発信を示す呼び出し信号及び呼び出し先の電話番号を示す発信先通知信号が親機１の制御部２３に供給される。
【０１３２】
そして、呼び出し信号及び発信先通知信号に基づいて制御部２３から制御信号が回線制御回路１２に供給されて、回線制御回路１２において発信先通知信号が示す電話番号で指定された呼び出し先との回線接続処理が実行される。
【０１３３】
そして、呼び出し先との通話回線が接続されると、回線制御回路１２から制御部２３に接続完了信号が供給されて、制御部２３から無線送受信回路１５に呼び出し応答通知信号が供給される。そして、無線送受信回路１５、アンテナ１６、のアンテナ５１及び無線送受信回路５２を介して呼び出し応答通知信号がインターネット電話対応子機５の制御部６１に供給される。
【０１３４】
その後は、上述と同様にして、転送処理等が実行される。
【０１３５】
以上説明したように、本実施形態によれば、一般公衆回線Ｘに接続される親機１と複数の子機３−ｋとは、無線通信により相互に内線通話接続して通話音声信号を送受信することにより内線通話が可能であって、インターネット電話対応子機５の制御部６１は、無線送受信回路６２を制御して、上記内線と同一の通信規格（例えば、ＦＨＳＳ−ＷＤＣＴ準拠等）で親機１及び子機３−ｋと内線通話接続して通話音声信号を送受信する一方、ネットワークインタフェース５９を介して、一般公衆回線Ｘ及び上記内線とは、プロトコル、接続方式、音声信号の符号化等の通信規格の異なるインターネット電話サービスシステムの通話回線に、インターネットを介して接続して通話音声信号を送受信するようになっている。そして、インターネット電話対応子機５の制御部６１は、内線通話接続された親機１または子機３−ｋのいずれかの電話機から受信された通話音声信号をインターネットを介して接続された通信回線に対して送信させ、且つ当該通信回線から受信された通話音声信号を内線接続された電話機に送信させるように制御する。
【０１３６】
従って、コードレス電話基本システム（親機１及び子機３−ｋ）として内線通話が可能となっていれば、インターネット電話対応子機５を追加することにより、コードレス電話基本システムを大幅に機能拡張することなくインターネット電話サービスシステムを利用した通話が可能となる。
【０１３７】
具体的には、インターネットに対して発信して通話する場合、親機１及び子機３−ｋは、インターネット電話対応子機５を内線呼び出しする際に、呼び出し元の内線番号を通知する代わりにインターネット電話サービスシステムにおけるユーザ名を通知することでインターネット電話サービスシステムを利用した通話を行うことが可能であるし、インターネットから着信して通話する場合は、通常の内線通話に対する応答と同様の動作で通話を行うことが可能である（必要であれば、呼び出し先のユーザ名や呼び出し元のユーザ名を表示すれば良い）。
【０１３８】
しかも、インターネット電話サービスシステムの通話回線に接続する機能はインターネット電話対応子機５内部に搭載されており、インターネット電話用のアプリケーションプログラムがインストールされた端末装置に対して当該アプリケーションプログラムにより提供されるＡＰＩ等を利用してコマンドを送信し、当該端末装置を制御して上記通話回線に接続させるような必要がないため、端末装置が不要である。
【０１３９】
また、インターネット電話対応子機５は、インターネットを介して接続された通話回線から受信された通話音声信号または内線接続された親機１または子機３−ｋから受信された通話音声信号に対応する音声をスピーカ５６により拡声し、マイクロホン５７により集音された音声に対応する通話音声信号を上記通話回線または内線接続された親機１または子機３−ｋに送信するので、ユーザは、インターネット電話対応子機５を用いて、インターネットを介した通話、内線通話及び一般公衆回線Ｘを介した通話を行うことが可能である。
【０１４０】
更に、インターネット電話対応子機５は、親機１と内線接続し、親機１は一般公衆回線Ｘから受信された通話音声信号をインターネット電話対応子機５に送信し、当該通話音声信号はインターネット電話対応子機５によりインターネットを介して接続された通話回線に送信し、インターネット電話対応子機５により当該通話回線から受信された親機１に送信された通話音声信号を、親機１が一般公衆回線Ｘに送信するので、一般公衆回線Ｘとインターネットを介して接続された通話回線との間の着信転送（転送電話）を行うことが可能となり、更に、インターネット電話対応子機５による３者通話も可能となる。
【０１４１】
また更に、親機１は、一般公衆回線Ｘから受信された通話音声信号及びインターネット電話対応子機５から受信された通話音声信号に対応する音声をスピーカ２０により拡声し、マイクロホン２１により集音された音声に対応する通話音声信号を一般公衆回線Ｘ及びインターネット電話対応子機５に送信するので、親機１による３者通話も可能となる。
【０１４２】
更にまた、子機３−ｋは、内線接続された親機１から受信された通話音声信号及びインターネット電話対応子機５から受信された通話音声信号に対応する音声をスピーカ３６により拡声し、マイクロホン３７により集音された音声に対応する通話音声信号を親機１及びインターネット電話対応子機５に送信するので、子機３−ｋによる３者通話も可能となる。
【０１４３】
また更に、インターネット電話対応子機５のＵＳＢに端末装置を接続することにより、インターネットを介して通話中の相手の端末装置との間でデータファイルの送受信が可能となる。
【０１４４】
なお、上記説明した実施形態においては、インターネット電話対応子機５自体が通話機能を備えていたが、必ずしも通話機能を備える必要はない。
【０１４５】
また、インターネット電話対応子機５とルータ６との間を有線で接続するのではなく、無線（例えば、IEEE802.11やIEEE802.15等）によりデータを送受信するようにしても良い。
【０１４６】
また、インターネット電話対応子機５とモデム７とを直接接続しても良い。
【０１４７】
また、電話システムＳにおける内線接続は無線通信によるものではなく有線で接続されるようにしても良い。
【０１４８】
また、親機１や子機３−ｋにＵＳＢインタフェース等を備えさせ、当該ＵＳＢインタフェースに端末装置を接続して、当該端末装置とインターネットを介して通話中の相手の端末装置との間でデータファイルの送受信を行うように構成しても良い。
【０１４９】
また、上記実施形態においては、第１の外線に一般公衆回線Ｘを適用し、第２の外線にインターネット電話サービスシステムを利用して接続される通話回線を適用していたが、これらの一部または全部を、他の通信規格に対応する電話回線等に変更して本願を適用しても良い。
【図面の簡単な説明】
【０１５０】
【図１】実施形態に係る電話システムＳの概要構成を示すブロック図である。
【図２】実施形態に係る親機１の概要構成を示すブロック図である。
【図３】実施形態に係る子機３−ｋの概要構成を示すブロック図である。
【図４】実施形態に係るインターネット電話対応子機５の概要構成を示すブロック図である。
【図５】実施形態に係る電話システムＳのインターネットに発信して通話する場合における処理例を示すフローチャートである。
【図６】実施形態に係る電話システムＳのインターネットから着信して通話する場合における処理例を示すフローチャートである。
【図７】実施形態に係る電話システムＳの３者通話を行う場合における処理例を示すフローチャートである。
【図８】実施形態に係る電話システムＳの着信転送を行う場合における処理例を示すフローチャートである。
【符号の説明】
【０１５１】
１  親機
３−ｋ  子機
５  インターネット電話対応子機
６  ルータ
７  モデム
８  スプリッタ
１１  検波回路
１２  回線制御回路
１３  通話回路
１４、３３、５３  ＤＳＰ
１５、３２、５２  無線送受信回路
１６、３１、５１  アンテナ
１７、３４、５４  表示部
１８、３５、５５  キー操作部
２０、３６、５６  スピーカ
２１、３７、５７  マイクロホン
２２、３８、５８  記憶部
２３、３９、６１  制御部
５９  ネットワークインタフェース
６０  ＵＳＢインタフェース
Ｘ  一般公衆回線
Ｓ  電話システム
【図１】
2008005185.tif 000003
【図２】
2008005185.tif 000004
【図３】
2008005185.tif 000005
【図４】
2008005185.tif 000006
【図５】
2008005185.tif 000007
【図６】
2008005185.tif 000008
【図７】
2008005185.tif 000009
【図８】
2008005185.tif 000010